(57)【要約】      （修正有）【課題】常時踏段を清掃でき、清掃用ブラシを容易に確認及び交換ができる踏段清掃装置を備えた乗客コンベアを提供する。【解決手段】機械室３ａ内に設置され、清掃用ブラシ１０及び清掃用ブラシを取り付けるための取付手段２０を有する踏段清掃装置６が、清掃用ブラシ１０のブラシ先端部が踏段２の復路と往路との反転位置における踏段２に対して側方から接触するように構成され、乗降板５の開口時に容易に清掃用ブラシ１０の確認及び交換ができるように機械室３ａに通じる乗降板５の下方に取り付けられる。【選択図】図３
2012006731.tif 000002
【特許請求の範囲】
【請求項１】
無端状に連結して走行する踏段と、乗り降り口に配設され、開口することにより機械室内部が露出する乗降板と、機械室内に設置され、清掃用ブラシ及び清掃用ブラシを取り付けるための取付手段を有する踏段清掃装置とを備えた乗客コンベアであって、
該清掃用ブラシは、そのブラシ先端部が踏段の復路と往路との反転位置における踏段に対して側方から接触するように構成され、乗降板開口時に容易に清掃用ブラシの確認及び交換ができるように乗降板下方に取り付けられていることを特徴とする乗客コンベア。
【請求項２】
取付手段が、清掃用ブラシを固定する固定用ブラケットと、固定用ブラケットに取り付けられ、踏段に対して前進後退方向へ揺動する第一板バネ部材と、第一板バネ部材に直接的に又は間接的に取り付けられ、踏段に対してその幅方向左右へ揺動する第二板バネ部材と、第二板バネ部材に取り付けられ、乗客コンベアに取付可能な取付用ブラケットとを備えてなり、
清掃用ブラシのブラシ先端部は、第一板バネ部材により踏段に押し付けられるように付勢されていることを特徴とする請求項１に記載の乗客コンベア。
【請求項３】
清掃用ブラシは、踏段幅以上の長さのブラシ部と、該ブラシ部を植設するブラシ台と、該ブラシ台の両端に突出した角棒よりなり、
固定用ブラケットは、清掃用ブラシの角棒が回転しないように固定する構造よりなることを特徴とする請求項１又は２に記載の乗客コンベア。
【請求項４】
取付用ブラケットは、既設乗客コンベアに取付可能な構造であることを特徴とする請求項１〜３のいずれか１項に記載の乗客コンベア。
【発明の詳細な説明】
【技術分野】
【０００１】
本発明の実施形態は、乗客コンベアに関する。
【背景技術】
【０００２】
従来、無端状に連結して走行する踏段を有するエスカレータや動く歩道等の乗客コンベアにおいて、その踏段の清掃は往路部（乗り込み可能な部分）で利用者のいないときに行われていた。また、機械室内に踏段清掃装置が設置された乗客コンベアが提案され、その踏段清掃装置における清掃用ブラシは、踏段反転位置の下方であって、機械室内を構成するトラスの底部に配されるオイルパン部に取付られていた。
【先行技術文献】
【特許文献】
【０００３】
【特許文献１】特開平８−５９１６９号公報
【発明の概要】
【発明が解決しようとする課題】
【０００４】
上記従来の踏段清掃装置の構造では、清掃用ブラシが踏段反転位置の下方に取り付けられているため、踏段の存在が邪魔をして清掃用ブラシの摩耗状態の確認や交換に手間がかかるものであった。
【０００５】
本発明の実施形態は、常時、踏段を清掃できる踏段清掃装置であって、乗降板開口時に清掃用ブラシを容易に確認及び交換ができる踏段清掃装置を備えた乗客コンベアを提供することにある。
【課題を解決するための手段】
【０００６】
本発明の実施形態に係る乗客コンベアは、無端状に連結して走行する踏段と、乗り降り口に配設され、開口することにより機械室に通じる乗降板と、機械室内に設置され、清掃用ブラシ及び清掃用ブラシを取り付けるための取付手段を有する踏段清掃装置とを備えた乗客コンベアであって、該清掃用ブラシは、そのブラシ先端部が踏段の復路と往路との反転位置における踏段に対して側方から接触するように構成され、乗降板開口時に容易に清掃用ブラシの確認及び交換ができるように乗降板下方に取り付けられていることを特徴とするものである。
【図面の簡単な説明】
【０００７】
【図１】本発明の実施例１のエスカレータの全体を示す概略側面図である。
【図２】図１のＡ部拡大図であって、踏段清掃装置を備えていない状態における側面図である。
【図３】図２おいて、踏段清掃装置を備えた状態における側面図である。
【図４】図３のＢ−Ｂ線概略断面図である。
【図５】実施例１における取付手段の詳細を示す図であって、（ａ）は図３に示す状態における取付手段の拡大図であり、（ｂ）は図４に示す状態における取付手段の拡大図である。
【図６】実施例１における清掃用ブラシであって、（ａ）はブラシ先端部側から見た図であり、（ｂ）は側面図である。
【図７】図５のＣ部拡大図であり、図７に示す清掃用ブラシの固定用ブラケットにおける取付状態を示す図であって、（ａ）は側面図であり、（ｂ）はブラシ先端部側から見た図である。
【図８】清掃用ブラシの第１の変更例であって、（ａ）はブラシ先端部側から見た図であり、（ｂ）は側面図である。
【図９】清掃用ブラシの第２の変更例であって、（ａ）はブラシ先端部側から見た図であり、（ｂ）は側面図である。
【図１０】取付用ブラケットにおける取付金具の変更例を示す図である。
【発明を実施するための形態】
【０００８】
以下、本発明に係る乗客コンベアの実施例について、図面を参照して説明する。
【実施例１】
【０００９】
図１において、１はエスカレータを示し、エスカレータ１には無端状に連結された踏段２が走行するように配置されている。３はトラス４により枠組みされた機械室であり、下階側機械室３ａには踏段２を走行させるための駆動源等の機材が設置されている。図２は後述する踏段清掃装置１０を設置していない状態における下階側機械室３ａの一部を示しており、１点鎖線は踏段の軌跡を表す。下階側機械室３ａの天板の一部はエスカレータ乗り降り口の乗降板５を兼ねており、乗降板５を開口すれば、下階側機械室３ａの内部が露出するようになっている。
【００１０】
図３において、６は下階側機械室３ａ内に設置された踏段清掃装置であって、清掃用ブラシ１０と清掃用ブラシ１０を取り付けるための取付手段２０とから構成される。１点鎖線は踏段の軌跡を表す。
【００１１】
清掃用ブラシ１０は、図３、図４及び図６に示すように、踏段２の幅方向に細幅状のブラシ部１１を有する形態をなし、該ブラシ部１１は、踏段幅２ａ以上の長さを有しており、ブラシ部１１が植設されるブラシ台１２の両端には、後述する固定用ブラケット２１により固定される角棒１３ａ、１３ｂが突出形成されている。また、図３に示すように、ブラシ部１１のブラシ先端部１１ａが踏段２の復路（機械室側の走行路）と往路（利用者側の走行路）との反転位置、すなわち踏段２の踏面がほぼ垂直状態になる位置における踏段２に対して側方（図３において左方）から接触するように構成されている。
【００１２】
取付手段２０は、図３〜図５に示すように、主として固定用ブラケット２１と、第一板バネ部材２２と、第二板バネ部材２３と、取付用ブラケット２４とから構成される。
【００１３】
固定用ブラケット２１は、清掃用ブラシ１０を固定するためのものである。すなわち、固定用ブラケット２１は、図５及び図７に示すように、板状体２１ａと板状体２１ａの下部にボルト２１ｂによりネジ止めされるＵ字金具２１ｃとから構成され、Ｕ字金具２１ｃのＵ字部分に清掃用ブラシ１０の角棒１３ａ、１３ｂを挿入してボルト２１ｂにて緊締することにより、角棒１３ａ、１３ｂが角柱状であるためＵ字金具２１ｃにより回転しないように固定される。したがって、固定用ブラケット２１により清掃用ブラシ１０が固定される。なお、図７は、後述する清掃用ブラシの第１の変更例である清掃用ブラシ１１０（図８）が固定された状態を示しているが、清掃用ブラシ１１０は、本実施例の清掃用ブラシ１０と同様に角棒１３ａ、１３ｂを備えているので、ブラシ部の形態が異なっても同様に固定用ブラケット２１に固定することができる。
【００１４】
第一板バネ部材２２は、固定用ブラケット２１に取り付けられており、踏段２に対して前進後退方向へ揺動する機能を果たし、清掃用ブラシ１０のブラシ先端部１１ａが第一板バネ部材２２により踏段２に押し付けられるように付勢される。すなわち、第一板バネ部材２２は２個一組の板バネよりなり、各板バネの弾性方向は固定用ブラケット２１が前進後退する方向になるように、その一端が固定用ブラケット２１を構成する板状体２１ａの上部にビス止めされ、他端が第二板バネ部材２３との連結部材の１つであるＬ字金具２２ａにビス止めされている。したがって、固定用ブラケット２１に固定された清掃用ブラシ１０は第一板バネ部材２２により踏段２側に押し付けられるようになっているので、踏段２に清掃用ブラシ１０のブラシ先端部１１ａが常に接触するようになっている。また、踏段２が移動することによる清掃用ブラシ１０の前後の揺れを第一板バネ部材２２が吸収するので、清掃用ブラシ１０に前後方向の衝撃や振動が加わっても、清掃用ブラシ１０が破損しないようになっている。
【００１５】
第二板バネ部材２３は、第二板バネ部材２３を直接取り付けるＬ字金具２３ａ及び第一板バネ部材２２を直接取り付ける前記Ｌ字金具２２ａを介して、第一板バネ部材２２に取り付けられており、踏段２に対してその幅方向左右へ揺動する機能を果たす。すなわち、第二板バネ部材２３は２個一組の板バネよりなり、第二板バネ部材２３のＬ字金具２３ａは第一板バネ部材２２のＬ字金具２２ａに対して９０°回転させて接着したものであり、当該Ｌ字金具２３ａに第二板バネ部材２３の各板バネの一端をビス止めし、他端を後述する取付用ブラケット２４にビス止めすることにより、第二板バネ部材２３の各板バネの弾性方向が踏段２の幅方向になるようになっている。したがって、踏段２が移動することによる清掃用ブラシ１０の左右方向の揺れを第二板バネ部材２３が吸収するので、清掃用ブラシ１０に左右方向の衝撃や振動が加わっても、清掃用ブラシ１０が破損しないようになっている。
【００１６】
取付用ブラケット２４は、第二板バネ部材２２に取り付けられ、エスカレータ１のトラス梁４ａに取付可能になっている。すなわち、取付用ブラケット２４は、板状体２４ａとトラス梁４ａに対する取付金具２５とから構成される。板状体２４ａは、前述したように、その下部には第二板バネ部材２３がビス止めされており、板状体２４ａの上部には取付金具２５が取り付けられている。取付金具２５は、Ｌ字状金具より構成され、Ｌ字の一方の片２５ａは板状体２４ａに対する取付部であって板状体２４ａの上部にビス止めされる。Ｌ字の他方の片２５ｂは、板状体２４ａから起立した状態となり、トラス梁４ａの適宜の位置にボルト孔を形成し、片２５ｂに形成した長孔２５ｂ’にボルトを通して、取付金具２５をトラス梁４ａに取り付けることにより、取付用ブラケット２４がトラス梁４ａに取り付けられる。したがって、エスカレータ１の下階側機械室３ａ内に踏段清掃装置６が取り付けられることになる。また、片２５ｂに長孔２５ｂ’を形成したことにより、取付位置の高さ調節が可能となる。
【００１７】
そして、踏段清掃装置６を構成する清掃用ブラシ１０は、図３における踏段２の左方に設置されており、この位置は乗降板５の下方にあたるので、乗降板５を開口すれば、清掃用ブラシ１０の摩耗等の状態が確認できる。また、踏段清掃装置６における固定用ブラケット２１のボルト２１ｂを抜いて板状体２１ａからＵ字金具２１ｃを取り外すだけで、他の機材を取り外さずに清掃用ブラシ１０を交換することができる。さらに、踏段清掃装置６における取付用ブラケット２４の取付金具２５をトラス梁４ａから取り外すだけで他の機材を取り外さずに踏段清掃装置６全体を交換することができる。また、取付金具２５のトラス梁４ａに対する取付位置が調節可能であるため、既設のエスカレータに対しても本実施例における踏段清掃用具６を取り付けることができる。
【００１８】
図８に示す１１０は、実施例１における清掃用ブラシ１０の第１の変更例であり、当該清掃用ブラシ１１０は、ブラシ部１１１が太幅状となっているものであり、その分だけブラシ台１１２の面積が広くなっている。なお、清掃用ブラシ１１０は、その両端に実施例１における清掃用ブラシ１０と同様に角棒１３ａ、１３ｂを備えているので、実施例１における固定用ブラケット２１により清掃用ブラシ１１０を固定することができる。
【００１９】
図９に示す１２０は、実施例１における清掃用ブラシ１０の第２の変更例であり、当該清掃用ブラシ１２０は、ブラシ部１２１がブラシ台１２２から放射状に植設された形態をなすものであり、四方４面のうちの１面が摩耗しても、他の面が摩耗していない場合には、清掃用ブラシ１２０を交換することなく９０°回転させればよいので作業が効率的であり、かつ経費が節減できる。なお、清掃用ブラシ１２０は、その両端に実施例１における清掃用ブラシ１０と同様に角棒１３ａ、１３ｂを備えているので、実施例１における固定用ブラケット２１により清掃用ブラシ１２０を固定することができる。
【００２０】
図１０に示す１２５は、実施例１における取付金具２５の変更例であり、当該取付金具１２５は、コの字型レール１２６の一壁部１２６ａにボルト螺合用孔１２６ｂを形成してボルト１２６ｃを螺入できるようにし、トラス梁４ａの一端をコの字型レール１２６内に入れてボルト１２６ｃを緊締することにより、コの字型レール１２６とボルト１２６ｃとによりトラス梁４ａの一端を挟み込んで固定するものである。１２６ｄは、ボルト１２６ｃのゆるみ防止用のロックナットである。実施例１における取付金具２５に代えて当該取付金具１２５を取付用ブラケット２４に備え付ければ、トラス梁４ａを加工することなく、踏段清掃装置を取り付けることが可能となるので便利である。
【００２１】
本実施例における踏段清掃装置６は、上記のように構成したので、トラス梁４ａに板バネ付きの取付手段２０を取り付け、その取付手段２０の清掃用ブラシ１０の取付部については、清掃用ブラシ１０の両端部が角棒１３ａ、１３ｂで同一サイズであればどのような清掃用ブラシ１０でも取付が可能となる。また、本実施例の踏段清掃装置６を取り付けることにより、常時、踏段２の清掃を行うため踏段２のきれいな状態が保てる。また、乗降板開口時に清掃用ブラシ１０の摩耗確認や交換も容易でメンテナンス作業員の作業時間の低減も図れる。
【００２２】
なお、本実施例はエスカレータについて説明したが、動く歩道における踏段に対しても適用できるものである。また、清掃用ブラシ１０及び取付手段２０についても、本実施例のものに限られるものではない。実施の形態は例示であり、発明の範囲は実施の形態に限られるものではない。
【符号の説明】
【００２３】
１・・・・エスカレータ              ２・・・・踏段
２ａ・・・踏段幅                    ３・・・・機械室
３ａ・・・下階側機械室              ４・・・・トラス
４ａ・・・トラス梁                  ５・・・・乗降板
６・・・・踏段清掃装置              １０・・・清掃用ブラシ
１１・・・ブラシ部                  １１ａ・・ブラシ先端部
１２・・・ブラシ台                  １３ａ・・清掃用ブラシ端部の角棒
１３ｂ・・清掃用ブラシ端部の角棒    ２０・・・取付手段
２１・・・固定用ブラケット          ２１ａ・・板状体
２１ｂ・・ボルト                    ２１ｃ・・Ｕ字金具
２２・・・第一板バネ部材            ２２ａ・・Ｌ字金具
２３・・・第二板バネ部材            ２３ａ・・Ｌ字金具
２４・・・取付用ブラケット          ２４ａ・・板状体
２５・・・取付金具                  ２５ａ・・Ｌ字状金具の一方の片
２５ｂ・・Ｌ字状金具の他方の片      ２５ｂ’・Ｌ字状金具の他方の片の長孔
１１０・・清掃用ブラシ              １１１・・ブラシ部
１１２・・ブラシ台                  １２０・・清掃用ブラシ
１２１・・ブラシ部                  １２２・・ブラシ台
１２５・・取付金具                  １２６・・コの字型レール
１２６ａ・コの字型レールの一壁部    １２６ｂ・ボルト螺合用孔
１２６ｃ・ボルト                    １２６ｄ・ロックナット
【図１】
2012006731.tif 000003
【図２】
2012006731.tif 000004
【図３】
2012006731.tif 000005
【図４】
2012006731.tif 000006
【図５】
2012006731.tif 000007
【図６】
2012006731.tif 000008
【図７】
2012006731.tif 000009
【図８】
2012006731.tif 000010
【図９】
2012006731.tif 000011
【図１０】
2012006731.tif 000012